(57)【要約】【課題】容器本体として外体が不透明な二重容器を用いても内容液の残量を確認することが可能な吐出具付き容器を提供する。【解決手段】容器本体２と吐出具３とを備えた吐出具付き容器１であって、不透明な外体１１と内容液Ｌ１を収容する減容変形自在の内体１２とを備えた内容器１０と、外体１１の胴部１１ｂとの間に指示液充填空間２５を区画形成する透明または半透明の周壁２３と、指示液充填空間２５に外気を導入するための外気導入孔２６とを備えた外容器２０と、外気導入孔２６を開閉する逆止弁２７と、指示液充填空間２５に充填された指示液Ｌ２と、指示液充填空間２５から内体１２と外体１１との間に指示液Ｌ２を導入可能な液導入口１１ｄとを有し、内容液Ｌ１が外部に吐出されると、内体１２が減容変形して指示液充填空間２５から液導入口１１ｄを通して内体１２と外体１１との間に指示液Ｌ２が導入されることを特徴とする吐出具付き容器１。【選択図】図１
2019011122.tif 000002
【特許請求の範囲】
【請求項１】
容器本体と該容器本体に装着された吐出具とを備えた吐出具付き容器であって、
不透明な外体と、該外体の内側に配置されて内容液を収容する減容変形自在の内体とを備えた二重容器に構成された内容器と、
前記外体の胴部の外側に間隔を空けて配置されて該胴部との間に指示液充填空間を区画形成する透明または半透明の周壁と、前記指示液充填空間に外気を導入するための外気導入孔とを備え、前記内容器を収容して該内容器とともに前記容器本体を構成する外容器と、
前記外容器に設けられ、前記外気導入孔を開閉する逆止弁と、
前記指示液充填空間に充填され、外部から視認可能な指示液と、
前記外体に設けられ、前記指示液充填空間から前記内体と前記外体との間に前記指示液を導入可能な液導入口とを有し、
前記吐出具を通して内容液が外部に吐出されると、前記内体が減容変形して前記指示液充填空間から前記液導入口を通して前記内体と前記外体との間に前記指示液が導入されることを特徴とする吐出具付き容器。
【請求項２】
前記内体が前記外体の内面に剥離可能に積層されている、請求項１に記載の吐出具付き容器。
【請求項３】
前記液導入口が、前記外体の底部に設けられている、請求項１または２に記載の吐出具付き容器。
【請求項４】
前記内容器の底部分にピンチオフ部が設けられ、該ピンチオフ部における前記外体と前記内体との間の割れ目が前記液導入口を構成している、請求項３に記載の吐出具付き容器。
【請求項５】
前記吐出具が、ノズルを備えた押下げヘッドと、該押下げヘッドが押し下げられたときに内容液を前記ノズルに圧送するポンプとを備える、請求項１〜４の何れか１項に記載の吐出具付き容器。
【請求項６】
前記外容器が、前記外体の口部の外周面に固定される固定筒部と、該固定筒部の上側に同軸に連なるとともに前記内体の内部に連通する装着筒部とを備え、
前記装着筒部に前記吐出具が装着されている、請求項１〜５の何れか１項に記載の吐出具付き容器。
【請求項７】
前記外気導入孔が、前記外容器の前記周壁と前記固定筒部とを連ねる肩部に設けられており、
前記逆止弁が、前記周壁の内周面に嵌合する環状の嵌合部と、該嵌合部から斜め下方に向けて延びて前記固定筒部の外周面に弾性的に当接する環状のシール片とを有する、請求項６に記載の吐出具付き容器。
【請求項８】
前記嵌合部が、前記外容器の肩部の下面に弾性的に当接する当接片を備える、請求項７に記載の吐出具付き容器。
【請求項９】
前記外容器の底部が、前記周壁の下端に装着される底蓋で構成されている、請求項１〜８の何れか１項に記載の吐出具付き容器。
【発明の詳細な説明】
【技術分野】
【０００１】
本発明は、容器本体と該容器本体に装着された吐出具とを備えた吐出具付き容器に関する。
【背景技術】
【０００２】
化粧水などの化粧料や、シャンプーやリンスあるいは液体石鹸、または食品調味料などを内容液として収容する容器として、内容液を収容する容器本体に内容液を吐出するための吐出具を装着した構成の吐出具付き容器が知られている。
【０００３】
また、このような吐出具付き容器として、例えば特許文献１に記載されるように、容器本体が、外殻を形成する外体（外層）と、外体の内側に配置されて内容液を収容する減容変形自在の内体（内層）とを備えた二重容器（積層剥離容器）に構成されたものが知られている。このような吐出具付き容器によれば、内容液の吐出に伴って内体が減容変形（収縮）するので、内体の内部に外気が取り込まれることを抑制して、内体に収容されている内容液の空気との接触による劣化や変質を抑制することができる。
【０００４】
一方、透明な容器に内容液を収容した場合、内容液によっては紫外線等の光を受けて品質劣化を生じる虞があるので、このような場合には、容器として遮光性を有する不透明なものを用いるのが一般的である。特に、二重容器においては、内容液の吐出に伴って減容変形する内体が外部から視認されると外観上の見映えがよくないため、この点からも、容器の外体として不透明なものを用いるのが好ましい。
【先行技術文献】
【特許文献】
【０００５】
【特許文献１】特開２００５−１６２２１５号公報
【発明の概要】
【発明が解決しようとする課題】
【０００６】
しかし、容器本体として外体が不透明な二重容器を用いた吐出具付き容器では、容器本体の内部に収容されている内容液を外部から視認することができないので、内容液の残量を確認することが困難になるという問題点があった。
【０００７】
本発明は、このような問題点を解決することを課題とするものであり、その目的は、容器本体として外体が不透明な二重容器を用いても内容液の残量を確認することが可能な吐出具付き容器を提供することにある。
【課題を解決するための手段】
【０００８】
本発明の吐出具付き容器は、容器本体と該容器本体に装着された吐出具とを備えた吐出具付き容器であって、不透明な外体と、該外体の内側に配置されて内容液を収容する減容変形自在の内体とを備えた二重容器に構成された内容器と、前記外体の胴部の外側に間隔を空けて配置されて該胴部との間に指示液充填空間を区画形成する透明または半透明の周壁と、前記指示液充填空間に外気を導入するための外気導入孔とを備え、前記内容器を収容して該内容器とともに前記容器本体を構成する外容器と、前記外容器に設けられ、前記外気導入孔を開閉する逆止弁と、前記指示液充填空間に充填され、外部から視認可能な指示液と、前記外体に設けられ、前記指示液充填空間から前記内体と前記外体との間に前記指示液を導入可能な液導入口とを有し、前記吐出具を通して内容液が外部に吐出されると、前記内体が減容変形して前記指示液充填空間から前記液導入口を通して前記内体と前記外体との間に前記指示液が導入されることを特徴とする。
【０００９】
本発明の吐出具付き容器は、上記構成において、前記内体が前記外体の内面に剥離可能に積層されているのが好ましい。
【００１０】
本発明の吐出具付き容器は、上記構成において、前記液導入口が、前記外体の底部に設けられているのが好ましい。
【００１１】
本発明の吐出具付き容器は、上記構成において、前記内容器の底部分にピンチオフ部が設けられ、該ピンチオフ部における前記外体と前記内体との間の割れ目が前記液導入口を構成しているのが好ましい。
【００１２】
本発明の吐出具付き容器は、上記構成において、前記吐出具が、ノズルを備えた押下げヘッドと、該押下げヘッドが押し下げられたときに内容液を前記ノズルに圧送するポンプとを備えるのが好ましい。
【００１３】
本発明の吐出具付き容器は、上記構成において、前記外容器が、前記外体の口部の外周面に固定される固定筒部と、該固定筒部の上側に同軸に連なるとともに前記内体の内部に連通する装着筒部とを備え、前記装着筒部に前記吐出具が装着されているのが好ましい。
【００１４】
本発明の吐出具付き容器は、上記構成において、前記外気導入孔が、前記外容器の前記周壁と前記固定筒部とを連ねる肩部に設けられており、前記逆止弁が、前記周壁の内周面に嵌合する環状の嵌合部と、該嵌合部から斜め下方に向けて延びて前記固定筒部の外周面に弾性的に当接する環状のシール片とを有するのが好ましい。
【００１５】
本発明の吐出具付き容器は、上記構成において、前記嵌合部が、前記外容器の肩部の下面に弾性的に当接する当接片を備えるのが好ましい。
【００１６】
本発明の吐出具付き容器は、上記構成において、前記外容器の底部が、前記周壁の下端に装着される底蓋で構成されているのが好ましい。
【発明の効果】
【００１７】
本発明によれば、容器本体として外体が不透明な二重容器を用いても内容液の残量を確認することが可能な吐出具付き容器を提供することができる。
【図面の簡単な説明】
【００１８】
【図１】本発明の一実施の形態に係る吐出具付き容器の側面視での断面図である。
【図２】図１に示す逆止弁の外容器への取付け構造の詳細を示す拡大断面図である。
【図３】ある程度内容液が吐出された状態における吐出具付き容器の断面図である。
【図４】大部分の内容液が吐出された状態における吐出具付き容器の断面図である。
【発明を実施するための形態】
【００１９】
以下、図１〜図４を参照しつつ本発明の一実施の形態に係る吐出具付き容器１について詳細に例示説明する。
【００２０】
なお、本明細書及び特許請求の範囲においては、上下方向は、図１に示すように吐出具付き容器１を正立姿勢とした状態における上方、下方を意味するものとする。また、径方向とは、吐出具付き容器１の中心軸線を通り当該中心軸線に垂直な直線に沿う方向を意味するものとする。
【００２１】
図１に示すように、本発明の一実施の形態に係る吐出具付き容器１は、容器本体２と容器本体２に装着された吐出具３とを備えている。
【００２２】
吐出具３の外側にはオーバーキャップ４がアンダーカット係合により着脱自在に装着されている。オーバーキャップ４は、不使用時には吐出具３を覆って吐出具３の誤操作を防止し、使用時には吐出具３から取り外される。なお、オーバーキャップ４は設けられなくてもよい。
【００２３】
容器本体２は、内容器１０と内容器１０を収容する外容器２０とで構成されている。
【００２４】
内容器１０は、外体１１と内体１２とを備えた二重容器に構成されている。
【００２５】
外体１１は、例えばポリエチレン（ＰＥ）、ポリエチレンテレフタレート（ＰＥＴ）、ポリプロピレン（ＰＰ）等の合成樹脂材料により、略円筒状の口部１１ａと、口部１１ａの下端に連なる口部１１ａよりも僅かに大径の略円筒状の胴部１１ｂと、胴部１１ｂの下端に連なり胴部１１ｂの下端を閉塞する底部１１ｃとを備えた有底円筒状に形成されている。外体１１は、合成樹脂材料が着色等されることにより不透明となっており、外体１１の内部を外部から目視で視認することができないようになっている。また、外体１１の胴部１１ｂは、内容液Ｌ１が注出されたときに径方向に変形しない程度の所定の剛性を有している。さらに、外体１１の底部１１ｃには、液導入口１１ｄが設けられている。液導入口１１ｄは、外体１１の外部を、外体１１と内体１２との間に連通している。
【００２６】
内体１２は、例えばＥＶＯＨ（エチレン−ビニルアルコール共重合体）樹脂やナイロン、ポリエチレン、ポリプロピレン等の、後述するブロー成形によって形成された場合であっても外体１１に接着されることのない合成樹脂材料により、外体１１よりも薄肉の柔軟な袋状に形成されており、その開口を外体１１の口部１１ａの上端に接合した状態で外体１１の内側に配置されている。内体１２の内部は収容空間となっており、この収容空間に、例えば化粧水などの化粧料、シャンプーやリンスあるいは液体石鹸、または食品調味料などの内容液Ｌ１を収容することができる。内体１２は、その内容積を減少させるように減容変形自在（収縮自在）となっており、内容液Ｌ１が外部に吐出されて内容液Ｌ１の残量が減るのに合わせて減容変形する。
【００２７】
本実施の形態においては、内容器１０は、外体１１に対応する合成樹脂層と内体１２に対応する合成樹脂層とを共押出して円筒状の積層パリソンを形成し、この積層パリソンを、左右分割型の金型を用いてブロー成形（押出ブロー成形）することにより、外体１１の内面に内体１２が剥離可能に積層された積層剥離容器（デラミネーション容器）に構成されている。内容器１０を積層剥離容器に構成することで、外体１１と内体１２とを備えた二重容器として構成される内容器１０を安価に製造することができる。
【００２８】
左右分割型の金型を用いてブロー成形されることにより、内容器１０の底部分には、突条形状のピンチオフ部１３が設けられている。ピンチオフ部１３は外体１１と内体１２との間に割れ目を有し、ピンチオフ部１３における当該割れ目が前述した液導入口１１ｄを構成している。ピンチオフ部１３における割れ目により液導入口１１ｄを構成することで、別途、外体１１に液導入口１１ｄを孔開け加工等によって設ける必要をなくして、この吐出具付き容器１の製造コストを低減することができる。
【００２９】
なお、内容器１０は、外体１１と内体１２とを備えた二重容器に構成されていれば、積層剥離容器に限らず、外体１１の内側に外体１１とは別体に形成された内体１２を組み込んだ構成とすることもできる。また、液導入口１１ｄは、ピンチオフ部１３の割れ目によって構成されるに限らず、外体１１に設けられていれば、例えばパンチ等を用いた後加工によって形成される構成とするなど、他の構成であってもよい。
【００３０】
外容器２０は、外体１１の口部１１ａの外周面にアンダーカット係合によって固定される円筒状の固定筒部２１を有している。固定筒部２１の径方向外側には肩部２２を介して周壁２３が一体に設けられている。
【００３１】
周壁２３は、外体１１よりも大径の略円筒状に形成され、肩部２２から下方に向けて延びて外体１１の胴部１１ｂの外側に径方向に間隔を空けて配置されている。周壁２３の下端は外体１１の底部１１ｃよりも下方側にまで達しており、当該下端に周壁２３とは別体に形成された底蓋２４が装着されることで周壁２３の下端が閉塞されている。すなわち、外容器２０の底部は底蓋２４によって構成されている。底蓋２４は、周壁２３の内周面に嵌合固定される嵌合筒部２４ａと、嵌合筒部２４ａの内側に連なる下側に向けて凸のカップ状部２４ｂとを有しており、カップ状部２４ｂの内側に内容器１０の外体１１の底部１１ｃが配置されている。カップ状部２４ｂの内面と外体１１の底部１１ｃの外面との間には隙間が設けられており、当該隙間は外体１１の底部１１ｃに設けられた液導入口１１ｄに連通している。
【００３２】
周壁２３と外体１１の胴部１１ｂとの間には、指示液充填空間２５が区画形成されており、この指示液充填空間２５には指示液Ｌ２が充填されている。指示液充填空間２５は、底蓋２４のカップ状部２４ｂの内面と外体１１の底部１１ｃの外面との間の隙間を介して液導入口１１ｄに連通している。これにより、液導入口１１ｄは、指示液充填空間２５に充填されている指示液Ｌ２を、外体１１と内体１２との間に向けて導入することができる。なお、指示液充填空間２５の内容積は、内体１２の内容積とほぼ同一に設定されている。
【００３３】
周壁２３は透明または半透明となっており、指示液充填空間２５に充填されている指示液Ｌ２は、周壁２３を通して外部から目視で視認可能となっている。したがって、指示液充填空間２５に充填されている指示液Ｌ２の残量を外部から目視で確認することができる。
【００３４】
なお、周壁２３は、指示液充填空間２５に充填されている指示液Ｌ２の残量を外部から目視で確認することができる程度の透明性を有していれば、着色等されていてもよく、また、その一部にラベル等が貼り付けられたり加飾等が施されていたりしてもよい。底蓋２４は、周壁２３と同様に透明または半透明とすることができるが、着色等された不透明なものであってもよい。
【００３５】
外容器２０の肩部２２には、指示液充填空間２５に外気を導入するための外気導入孔２６が設けられている。図示する場合には、肩部２２には、当該肩部２２を上下方向に貫通する複数の外気導入孔２６が周方向に間隔を空けて設けられている。なお、外気導入孔２６は、肩部２２に限らず、例えば周壁２３の上端側の部分などの他の部位に設けることもできる。また、外気導入孔２６は、少なくとも１つ設けられていれば、その数は任意に変更可能である。
【００３６】
外容器２０には、外気導入孔２６を開閉するための逆止弁２７が設けられている。本実施の形態では、逆止弁２７は、嵌合部２７ａとシール片２７ｂとが合成ゴム等の弾性材料によって一体に形成された構成となっている。
【００３７】
図２（ａ）に示すように、嵌合部２７ａは、断面が略矩形の円環状に形成されており、その下面には環状の溝２７ｃが設けられている。嵌合部２７ａの外径は周壁２３の内径よりも僅かに大きくなっており、嵌合部２７ａは、その外周面を周壁２３の内周面に弾性的に当接させて周壁２３の内周面に嵌合固定されている。なお、外気導入孔２６は嵌合部２７ａの内側において開口している。嵌合部２７ａは、その外周面において周壁２３の内周面に弾性的に当接するので、嵌合部２７ａの外周面と周壁２３の内周面との間のシール性を高めて、指示液Ｌ２が外気導入孔２６に漏れ出すことを確実に防止することができる。周壁２３の内周面には径方向内側に向けて突出する環状の突起２３ａが設けられており、嵌合部２７ａは、突起２３ａと肩部２２との間に配置されることで上下方向に位置決めされている。
【００３８】
シール片２７ｂは、嵌合部２７ａの下端内周側部分から斜め下方に向けて延びる円環状で薄い板状に形成されており、その下端内周面において固定筒部２１の外周面に弾性的に当接している。シール片２７ｂは、径方向外側に向けた外力が加えられると、その下端内周面が固定筒部２１の外周面から離れるように弾性変形することができる。
【００３９】
上記構成を有する逆止弁２７は、通常状態においては、シール片２７ｂが固定筒部２１の外周面に当接した状態となって指示液充填空間２５の内部から外気導入孔２６を通して外容器２０の外部へ空気ないし指示液Ｌ２が流出するのを阻止し、指示液充填空間２５の内部が負圧となったときには、シール片２７ｂが固定筒部２１の外周面から離れるように弾性変形して外容器２０の外部から外気導入孔２６を通して指示液充填空間２５の内部に外気が導入されるのを許容するように作動する。
【００４０】
このように、外容器２０の肩部２２に外気導入孔２６を設けるとともに、逆止弁２７を、周壁２３の内周面に嵌合する環状の嵌合部２７ａと、嵌合部２７ａから斜め下方に向けて延びて固定筒部２１の外周面に弾性的に当接する環状のシール片２７ｂとを有する構成としたことにより、外気導入孔２６を逆止弁２７で開閉する構成を簡素化して、この吐出具付き容器１のコストを低減することができる。
【００４１】
図２（ｂ）に示すように、逆止弁２７は、嵌合部２７ａが、外容器２０の肩部２２の下面に弾性的に当接する当接片２７ｄを備える構成とすることもできる。この場合、当接片２７ｄは、図２（ｂ）において二点鎖線で示すように、肩部２２の下面に当接しない自然状態においては嵌合部２７ａに対して上方に突出した形状となっており、嵌合部２７ａが周壁２３の内周面の所定位置に嵌合固定されると、肩部２２の下面に押されて下方側に向けて弾性変形した状態で当該肩部２２の下面に弾性的に当接するようになっている。このように、嵌合部２７ａを、外容器２０の肩部２２の下面に弾性的に当接する当接片２７ｄを備えた構成とすることにより、嵌合部２７ａの外周面と周壁２３の内周面との間のシール性だけでなく、嵌合部２７ａないし当接片２７ｄと肩部２２の下面との間のシール性をも高めて、指示液Ｌ２が外気導入孔２６に漏れ出すことをより確実に防止することができる。
【００４２】
次に、吐出具３の構成について説明する。吐出具３は、内体１２に収容されている内容液Ｌ１を外部に吐出するものである。図１に示すように、本実施の形態においては、吐出具３は、押下げヘッド３０とポンプ３１とを備えたポンプ式吐出具となっている。吐出具３としてポンプ式のものを用いることにより、簡単な操作で所望の量の内容液Ｌ１を容易に外部に吐出させることができる。
【００４３】
外容器２０には、固定筒部２１の上側に当該固定筒部２１と同軸に連なる装着筒部２８が固定筒部２１と一体に設けられており、吐出具３の円筒状の装着アダプタ３２が装着筒部２８にねじ結合によって固定されている。このように、外容器２０に設けた固定筒部２１の上側に同軸に連なる装着筒部２８に吐出具３を装着する構成としたことにより、内容器１０と外容器２０とで構成される容器本体２への吐出具３の固定構造を簡素化して、この吐出具付き容器１のコストを低減することができる。
【００４４】
装着アダプタ３２には、当該装着アダプタ３２に対して上方に向けて延びるとともに径方向外側に向けて逆Ｕ字状に曲がって肩部２２の上面近傍にまで達する円環状のカバー壁３３が一体に設けられており、オーバーキャップ４は、その下端内周面がカバー壁３３の外周面に設けられた環状突起３３ａにアンダーカット係合して吐出具３に装着されるようになっている。
【００４５】
装着アダプタ３２の天壁部分３２ａには円環状の凹溝３４が設けられ、ポンプ３１は、その上端部分が凹溝３４に嵌合されることで、装着筒部２８の内側に配置されるとともに内体１２の内部に連通する装着筒部２８を通して内体１２の内部にまで達した状態で保持されている。装着アダプタ３２の天壁部分３２ａと装着筒部２８の上端との間には内容液Ｌ１の漏れ出しを防止する環状のシール部材３５が配置されている。
【００４６】
ポンプ３１からはステム３６が突出しており、このステム３６に押下げヘッド３０が固定されている。押下げヘッド３０は、有頂円筒状に形成されており、その下端外周面に設けられた複数のガイド突起３０ａによってカバー壁３３の内周面に案内されて、ステム３６とともに上下方向に移動自在となっている。また、押下げヘッド３０の側面にはステム３６の内部通路に連通するノズル３７が設けられている。詳細は図示しないが、ステム３６の下端側にポンプ３１のピストンが固定され、ステム３６の内部通路がポンプ３１の加圧室に連通している。ポンプ３１の下端には内体１２の内部の内容液Ｌ１をポンプ３１の内部に吸引するための吸引路３８が設けられている。また、ポンプ３１には、減容変形した内体１２によって吸引路３８が閉塞されるのを防止するために、吸引路３８から下方に向けて延びる断面十字形状の隙間保持杆を備えたディップバーＤが装着されている。
【００４７】
オーバーキャップ４を取り外した状態で、手動で押下げヘッド３０を押下げ操作して、図１に示す位置から下方に向けて押し下げることにより、ポンプ３１を吐出動作させてノズル３７から外部に内容液Ｌ１を吐出させることができる。すなわち、押下げヘッド３０を押下げ操作すると、ポンプ３１が作動し、当該ポンプ３１の下端に開口する吸引路３８から吸引されてポンプ３１の内部に貯留されている内容液Ｌ１がステム３６を通してノズル３７に圧送され、ノズル３７から外部に吐出される。
【００４８】
押下げヘッド３０の押下げ操作を解除すると、図示しないバネの付勢力によって押下げヘッド３０は上方に向けて移動し、図１に示す原位置に復帰する。このとき、内体１２に収容されている内容液Ｌ１が吸引路３８からポンプ３１の内部に吸引され、次の吐出に備えてポンプ３１の内部に貯留される。
【００４９】
このように、押下げヘッド３０の押下げ操作と当該操作の解除とを繰り返し行うことで、所望の量の内容液Ｌ１をノズル３７から外部に吐出させることができる。
【００５０】
押下げヘッド３０の押下げ操作が繰り返し行われ、吐出具３を通して内体１２の内部に収容されている内容液Ｌ１が外部に吐出されると、図３に示すように、内容液Ｌ１が吐出された分だけ内体１２はその内容積を減少させるように減容変形（収縮）する。内体１２が減容変形すると、外体１１と内体１２との間が負圧になるので、指示液充填空間２５に充填されている指示液Ｌ２が指示液充填空間２５から液導入口１１ｄを通して外体１１と内体１２との間に導入される。また、指示液充填空間２５に充填されている指示液Ｌ２が液導入口１１ｄを通して外体１１と内体１２との間に導入されることにより、指示液充填空間２５が負圧になるので、逆止弁２７が開いて外気導入孔２６から指示液充填空間２５の内部に外気が導入される。
【００５１】
すなわち、本実施の形態の吐出具付き容器１では、押下げヘッド３０が押下げ操作されて内容液Ｌ１が外部に吐出されて内体１２の内部に収容されている内容液Ｌ１の残量が減るに連れて、指示液充填空間２５に充填されている指示液Ｌ２が液導入口１１ｄを通して外体１１と内体１２との間に導入されて指示液充填空間２５に充填されている指示液Ｌ２の残量も、内容液Ｌ１の残量に比例して減少する。
【００５２】
そして、図４に示すように、押下げヘッド３０の押下げ操作を行っても内容液Ｌ１が吐出されない程度にまで内体１２の内部に収容されている内容液Ｌ１の残量が減少すると、指示液充填空間２５に充填されていた指示液Ｌ２の大部分が液導入口１１ｄを通して外体１１と内体１２との間に導入された状態となり、指示液充填空間２５は空となる。
【００５３】
ここで、外体１１が不透明となっているので内体１２に収容されている内容液Ｌ１を外部から目視で視認することはできないが、外容器２０の周壁２３は透明または半透明となっているので、指示液充填空間２５に充填されている指示液Ｌ２を外部から目視で確認することができる。したがって、内体１２の内部に収容されている内容液Ｌ１の残量に比例して減少する指示液充填空間２５に充填されている指示液Ｌ２の残量を、透明ないし半透明の周壁２３を通して目視で確認することにより、当該指示液Ｌ２の残量をインジケータとして内体１２の内部に収容されている内容液Ｌ１の残量を確認することができる。このとき、周壁２３の内部には指示液Ｌ２のみが視認され、内容液Ｌ１の吐出に伴って減容変形する内体１２は不透明な外体１１によって覆われて外部から視認されないので、吐出具付き容器１の外観上の見映えは良好である。したがって、本実施の形態に係る吐出具付き容器１によれば、容器本体２を構成する内容器１０として外体１１が不透明な二重容器を用いて内容液Ｌ１の空気及び光に触れることによる劣化を抑制しつつ、内容液Ｌ１の残量を確認することが可能である。
【００５４】
上記構成の吐出具付き容器１は、以下の手順で組付け及び内容液Ｌ１及び指示液Ｌ２の充填を行うことができる。まず、外容器２０に逆止弁２７及び内容器１０を装着し、次いで内容器１０の内体１２に内容液Ｌ１を充填する。次いで、外容器２０に吐出具３を装着して内体１２の開口を密閉する。次いで、吐出具３が装着された外容器２０を倒立状態とし、周壁２３の下端開口から指示液充填空間２５に指示液Ｌ２を充填する。そして、指示液Ｌ２の充填が完了したら周壁２３の下端を底蓋２４で閉塞する。このように、外容器２０を、周壁２３の下端に底蓋２４を装着する構成としたことにより、吐出具付き容器１の組付け作業及び内容液Ｌ１及び指示液Ｌ２の充填作業を容易にすることができる。
【００５５】
本発明は上記の実施形態に限定されるものではなく、その要旨を逸脱しない範囲で種々変更可能であることはいうまでもない。
【００５６】
例えば、前記実施の形態においては、吐出具３として押下げヘッド３０の押下げ操作により作動するポンプ式のものを用いるようにしているが、これに限らず、内体１２に収容されている内容液Ｌ１を外部に吐出することができるものであれば、例えばトリガーの操作により作動するポンプを備えたトリガー式吐出器などの他の吐出具を用いることもできる。
【００５７】
前記実施の形態においては、押下げヘッド３０の押下げ操作により吐出具３のポンプ３１を作動させて内容液Ｌ１を吐出させる構成としているが、これに限らず、容器本体２をスクイズ（押圧）することにより内容液を吐出具から吐出させる構成とすることもできる。この場合、外容器２０の周壁２３及び外体１１の胴部１１ｂは、それぞれスクイズされることにより径方向内側に向けて弾性変形可能であるとともにスクイズの解除により元の形状に復元する構成とされ、吐出具としては、例えば、内容液の注出口を備えるとともに当該注出口を開閉する逆止弁を備えた注出キャップが用いられる。
【００５８】
さらに、逆止弁２７としては、上記構成のものに限らず、外気導入孔２６を開閉することができるものであれば、他の構成のものを用いてもよい。
【００５９】
さらに、指示液Ｌ２としては、外部からの視認性を高めるために着色がされたものを用いることもできる。
【００６０】
さらに、前記実施の形態においては、外体１１の底部１１ｃに液導入口１１ｄを設けるようにしているが、これに限らず、液導入口は、外体１１に設けられて内体１２から内容液Ｌ１が吐出されるに連れて指示液充填空間２５に収容されている指示液Ｌ２を外体１１と内体１２との間に導入させて指示液充填空間２５の内部の指示液Ｌ２を減少させていくことができる部位であれば、例えば外体１１の胴部１１ｂの下端近傍部分など、外体１１の他の部位に設けるようにしてもよい。
【００６１】
さらに、前記実施の形態においては、外容器２０は、周壁２３に底蓋２４が装着される構成のものとされているが、これに限らず、内部に内容器１０と指示液Ｌ２とを収容可能な構成であれば、周壁２３と底蓋２４とが一体に形成されたボトル形状に形成されたものとすることもできる。
【符号の説明】
【００６２】
１    吐出具付き容器
２    容器本体
３    吐出具
４    オーバーキャップ
１０    内容器
１１    外体
１１ａ  口部
１１ｂ  胴部
１１ｃ  底部
１１ｄ  液導入口
１２    内体
１３    ピンチオフ部
２０    外容器
２１    固定筒部
２２    肩部
２３    周壁
２３ａ  突起
２４    底蓋
２４ａ    嵌合筒部
２４ｂ  カップ状部
２５    指示液充填空間
２６    外気導入孔
２７    逆止弁
２７ａ  嵌合部
２７ｂ  シール片
２７ｃ  溝
２７ｄ  当接片
２８    装着筒部
３０    押下げヘッド
３０ａ  ガイド突起
３１    ポンプ
３２    装着アダプタ
３２ａ  天壁部分
３３    カバー壁
３３ａ  環状突起
３４    凹溝
３５    シール部材
３６    ステム
３７    ノズル
３８    吸引路
Ｌ１    内容液
Ｌ２    指示液
Ｄ    ディップバー
【図１】
2019011122.tif 000003
【図２】
2019011122.tif 000004
【図３】
2019011122.tif 000005
【図４】
2019011122.tif 000006